(57)【要約】【課題】適切なスケジュール動作を可能にする蓄電システムを提供する。【解決手段】蓄電システムは、運転制御部と、設定制御部とを有する。運転制御部は、所定のネットワークシステムから取得したスケジュールに基づいて、蓄電池に関する運転制御を行う。設定制御部は、スケジュールに基づく前記蓄電池に関する運転制御中の場合、自システム内において計時する内部時計の時間をユーザによって設定できないように制御する。また、設定制御部は、スケジュールに基づく蓄電池に関する運転制御中の場合、ネットワークシステムによって内部時計の時間を設定可能に制御する。【選択図】図３
2017108508.tif 000002
【特許請求の範囲】
【請求項１】
所定のネットワークシステムから取得したスケジュールに基づいて、蓄電池に関する運転制御を行う運転制御部と；
前記スケジュールに基づく前記蓄電池に関する運転制御中の場合、自システム内において計時する内部時計の時間をユーザによって設定できないように制御する設定制御部と；
を具備することを特徴とする蓄電システム。
【請求項２】
前記設定制御部は、前記スケジュールに基づく前記蓄電池に関する運転制御中の場合、前記ネットワークシステムによって前記内部時計の時間を設定可能に制御する
ことを特徴とする請求項１に記載の蓄電システム。
【請求項３】
前記運転制御部は、前記内部時計の時間と前記ネットワークシステムにより設定される時間との差が所定の閾値以上である場合、前記スケジュールに基づく前記蓄電池に関する運転制御を停止する
ことを特徴とする請求項２に記載の蓄電システム。
【請求項４】
前記設定制御部は、前記スケジュールに基づく前記蓄電池に関する運転制御を停止した後、前記ネットワークシステムによる前記内部時計の時間の設定を行い、
前記運転制御部は、設定後の前記内部時計の時間に基づいて、前記蓄電池に関する運転制御を再開する
ことを特徴とする請求項３に記載の蓄電システム。
【請求項５】
前記運転制御部は、前記内部時計の時間と前記スケジュールにおける時間との差が所定の閾値以上である場合、前記スケジュールに基づく前記蓄電池に関する運転制御を停止する
ことを特徴とする請求項１〜４のいずれか１項に記載の蓄電システム。
【発明の詳細な説明】
【技術分野】
【０００１】
本発明の実施形態は、蓄電システムに関する。
【背景技術】
【０００２】
従来、所定のネットワークシステムにより接続される蓄電池等の各構成をスケジュールに従って運転制御する蓄電システムに関する技術が提供されている。
【先行技術文献】
【特許文献】
【０００３】
【特許文献１】特開２０１３−０８１２６７号公報
【発明の概要】
【発明が解決しようとする課題】
【０００４】
ところで、上記のような蓄電システムにおいては、例えば、スケジュールに基づく運転動作（以下、「スケジュール動作」とする場合がある）中において、システム内の内部時計の時間が変更された場合、最適な制御を行うことが困難になる等、適切なスケジュール動作を可能にすることが難しい。
【０００５】
本発明は、適切なスケジュール動作を可能にする蓄電システムを提供することを目的とする。
【課題を解決するための手段】
【０００６】
本実施形態の蓄電システムは、運転制御部と、設定制御部とを有する。運転制御部は、所定のネットワークシステムから取得したスケジュールに基づいて、蓄電池に関する運転制御を行う。設定制御部は、スケジュールに基づく前記蓄電池に関する運転制御中の場合、自システム内において計時する内部時計の時間をユーザによって設定できないように制御する。
【発明の効果】
【０００７】
本発明によれば、適切なスケジュール動作を可能にすることができる。
【図面の簡単な説明】
【０００８】
【図１】図１は、実施形態に係るスケジュール動作時の蓄電システムにおける内部時計の変更の一例を示す図である。
【図２】図２は、実施形態に係る通常時の蓄電システムにおける内部時計の変更の一例を示す図である。
【図３】図３は、実施形態に係る制御装置の構成を示すブロック図である。
【図４】図４は、実施形態に係る内部時計情報記憶部に記憶される情報の一例を示す図である。
【図５】図５は、実施形態に係るスケジュール情報記憶部に記憶される情報の一例を示す図である。
【図６】図６は、実施形態に係るユーザによる蓄電システムの内部時計の変更の一例を示すフローチャートである。
【図７】図７は、実施形態に係るネットワークシステムによる蓄電システムの内部時計の変更の一例を示すフローチャートである。
【図８】図８は、実施形態に係る蓄電システムにおけるスケジュール動作の一例を示すフローチャートである。
【図９】図９は、実施形態に係る蓄電システムにおけるスケジュール動作の一例を示すフローチャートである。
【発明を実施するための形態】
【０００９】
以下で説明する実施形態に係る蓄電システム１は、所定のネットワークシステムから取得したスケジュールに基づいて、蓄電池ＢＴに関する運転制御を行う運転制御部１３２と、スケジュールに基づく蓄電池ＢＴに関する運転制御中の場合、自システム内において計時する内部時計の時間をユーザによって設定できないように制御する設定制御部１３３とを具備する。
【００１０】
また、以下で説明する実施形態に係る蓄電システム１において、設定制御部１３３は、スケジュールに基づく蓄電池ＢＴに関する運転制御中の場合、ネットワークシステムによって内部時計の時間を設定可能に制御する。
【００１１】
また、以下で説明する実施形態に係る蓄電システム１において、運転制御部１３２は、内部時計の時間とネットワークシステムにより設定される時間との差が所定の閾値以上である場合、スケジュールに基づく蓄電池ＢＴに関する運転制御を停止する。
【００１２】
また、以下で説明する実施形態に係る蓄電システム１において、設定制御部１３３は、スケジュールに基づく蓄電池ＢＴに関する運転制御を停止した後、ネットワークシステムによる内部時計の時間の設定を行う。また、運転制御部１３２は、設定後の内部時計の時間に基づいて、蓄電池ＢＴに関する運転制御を再開する。
【００１３】
また、以下で説明する実施形態に係る蓄電システム１において、運転制御部１３２は、内部時計の時間とスケジュールにおける時間との差が所定の閾値以上である場合、スケジュールに基づく蓄電池ＢＴに関する運転制御を停止する。
【００１４】
［実施形態］
まず、本発明の実施形態に係る蓄電システム１における蓄電池の充電を図１及び図２に基づいて説明する。図１は、実施形態に係るスケジュール動作時の蓄電システムにおける内部時計の変更の一例を示す図である。図２は、実施形態に係る通常時の蓄電システムにおける内部時計の変更の一例を示す図である。
【００１５】
図１及び図２の例では、蓄電システム１は、ユーザ（需要家）の住宅ＨＭに設けられ、蓄電池ＢＴを所定の電力系統ＣＰから供給される電力や太陽光パネルＰＮにより生成された電力により充電したり、蓄電池ＢＴを充電した電力を負荷である電気機器ＬＤ等に供給したりする。
【００１６】
［蓄電システム］
図１及び図２に示すように、蓄電システム１は、制御装置１００と、コントローラＣＴと、蓄電池ＢＴと、蓄電池用分電盤ＶＤと、住宅用分電盤ＨＤと、スマートメータＭＴと、計測ユニットＭＵと、ホームゲートウェイＧＷと、太陽光パネルＰＮと、パワーコンディショナＰＣと、を具備する。このように、図１及び図２に示す蓄電システム１は、ホームゲートウェイＧＷを経由して所定のネットワークＮＴに接続可能である。また、蓄電システム１は、ネットワークＮＴにより外部のサーバＳＶ等との間で情報の送受信が可能である。例えば、図１及び図２において、各構成間を結ぶ実線は電気的な接続関係を示し、各構成間を結ぶ点線は情報の送受信が可能な接続関係を示す。なお、蓄電システム１の各構成の接続関係は図１及び図２に示した接続関係に限らず、他の接続関係であってもよい。例えば、実線で結ばれた各構成間において情報の送受信が可能であってもよいし、点線で結ばれた各構成間において電気的な接続関係があってもよい。なお、図２に示す構成は一例であって、蓄電システム１は他の構成であってもよい。
【００１７】
制御装置１００は、蓄電システム１の各構成の動作を制御するために用いられる。例えば、制御装置１００は、所定のネットワークシステムから取得したスケジュールに基づいて、蓄電池ＢＴに関する運転制御を行う。図１及び図２に示す例においては、ホームゲートウェイＧＷを経由して接続される蓄電システム１の各構成やサーバＳＶ等が所定のネットワークシステムを形成する。所定のネットワークシステムは、制御装置１００がスケジュールや内部時計の時間の変更に関する情報等を取得可能であれば、どのようなネットワークであってもよい。例えば、制御装置１００は、サーバＳＶからホームゲートウェイＧＷを経由してスケジュールを取得する。図１及び図２では、制御装置１００は、サーバＳＶからホームゲートウェイＧＷを経由して取得したスケジュールに基づいて、蓄電池ＢＴに関する運転制御を行う。例えば、制御装置１００は、所定のタイミングでスケジュールを取得する。例えば、制御装置１００は、１日おきにスケジュールを取得する。
【００１８】
なお、本実施形態においては、説明の簡単化のため、制御装置１００内の内部時計（図示せず。以下、単に「内部時計」とする場合がある）を蓄電システム１の内部時計とする。例えば、制御装置１００は、内部時計と所定のネットワークシステムから取得したスケジュールに基づいて、蓄電池に関する運転制御を行う。例えば、制御装置１００は、蓄電池ＢＴ内に設けられてもよい。また、例えば、制御装置１００は、蓄電池ＢＴと一体となって蓄電ユニットを形成してもよい。
【００１９】
コントローラＣＴは、蓄電システム１における各種情報をユーザに通知したり、蓄電システム１に対するユーザの操作を受け付けたりする。例えば、コントローラＣＴは、操作部ＯＰによりユーザの操作を受け付ける。具体的には、コントローラＣＴは、操作部ＯＰにより制御装置１００内の内部時計の時間を変更するユーザの操作を受け付ける。また、例えば、コントローラＣＴは、蓄電システム１に関する情報を表示する出力部を有してもよい。
【００２０】
蓄電池ＢＴは、住宅ＨＭで用いられる二次電池（バッテリ）である。例えば、蓄電池ＢＴは、電力系統ＣＰから供給される電力や太陽光パネルＰＮにより生成された電力により充電される。また、例えば、蓄電池ＢＴは、蓄えた電力を蓄電池用分電盤ＶＤや住宅用分電盤ＨＤを経由して住宅ＨＭ内の電気機器ＬＤに供給する。例えば、蓄電池ＢＴは、蓄電池用分電盤ＶＤを経由して電気機器ＬＤのうち選定負荷ＳＬに電力を供給する。また、例えば、蓄電池ＢＴは、住宅用分電盤ＨＤを経由して電気機器ＬＤのうち一般負荷ＮＬに電力を供給する。例えば、蓄電池ＢＴは、停電時においては、蓄電池用分電盤ＶＤを経由して選定負荷ＳＬのみに電力を供給する。また、蓄電池ＢＴは、パワーコンディショナＰＣ１０を有してもよい。パワーコンディショナＰＣ１０は、蓄電池ＢＴが供給する電力を、住宅ＨＭ内の電気機器ＬＤなどで利用可能にする。例えば、パワーコンディショナＰＣ１０は、蓄電池ＢＴから放電される直流電力を交流電力に変換する。また、例えば、パワーコンディショナＰＣ１０は、交流電力に変換した後、電力を住宅ＨＭ内での利用や、電力系統ＣＰへの売電などに対応する出力に調整する。
【００２１】
なお、蓄電池ＢＴは、充電を行うことにより電気を蓄えることができ、繰り返し充放電して使用することが出来る電池であればどのような電池であってもよい。例えば、蓄電池ＢＴとしては、リチウムイオン電池や鉛電池やニッケル水素電池など、目的に応じて種々の蓄電池が適宜選択されてもよい。また、蓄電池ＢＴは、電力を蓄える機能を有すればどのような構成であってもよく、例えば、電気自動車やプラグインハイブリッド自動車等であってもよい。
【００２２】
蓄電池用分電盤ＶＤ及び住宅用分電盤ＨＤは、住宅ＨＭの配線に電気を分ける装置である。例えば、蓄電池用分電盤ＶＤ及び住宅用分電盤ＨＤは、漏電遮断器や配線用遮断器等の種々の機器を含む。例えば、蓄電池用分電盤ＶＤは、電力系統ＣＰや蓄電池ＢＴから供給される電力を住宅ＨＭの選定負荷ＳＬに供給したりする。また、例えば、住宅用分電盤ＨＤは、電力系統ＣＰや蓄電池ＢＴから供給される電力を住宅ＨＭの一般負荷ＮＬに供給したりする。
【００２３】
スマートメータＭＴは、電力系統ＣＰから供給された電力、すなわち電力系統ＣＰから買電した電力や、電力系統ＣＰ側へ供給した電力、すなわち売電した電力を計量するメータである。すなわち、スマートメータＭＴは、電力系統ＣＰの供給電力に関する情報を保持し、制御装置１００と通信可能な情報保持部として機能する。例えば、スマートメータＭＴは、売電した電力を計量するメータと、買電した電力を計量するメータとを各々含んでもよい。例えば、スマートメータＭＴは、住宅用分電盤ＨＤと電力系統ＣＰとの間に設けられ、売電した電力を計量したり、買電した電力を計量したりする。また、スマートメータＭＴは、ホームゲートウェイＧＷを介して制御装置１００に各情報を送信可能である。
【００２４】
計測ユニットＭＵは、蓄電システム１における各位置の電力等を計測するユニットである。例えば、計測ユニットＭＵは、例えばＣＴ（Current  Transformer）等により住宅用分電盤ＨＤに接続され、住宅用分電盤ＨＤを経由して供給される電力を計測する。また、計測ユニットＭＵは、ホームゲートウェイＧＷを介して制御装置１００に各情報を送信可能である。なお、計測ユニットＭＵは、住宅用分電盤ＨＤに配置されてもよい。
【００２５】
ホームゲートウェイＧＷは、ネットワークＮＴと住宅ＨＭ内のネットワーク、すなわち蓄電システム１のネットワークとの間の情報の送受信を可能にするネットワーク機器である。なお、ホームゲートウェイＧＷとネットワークＮＴとの間に、所定の中継機器（例えばブロードバンドルータ）等が設けられる場合があるが、図１及び図２においては説明を省略する。また、ホームゲートウェイＧＷは、蓄電システム１の各構成間の情報の送受信を可能にする。例えば、ホームゲートウェイＧＷは、制御装置１００とサーバＳＶとの間の情報の送受信を可能にする。
【００２６】
太陽光パネルＰＮは、例えば、太陽電池素子（セル）を必要枚数配列し、樹脂や強化ガラスなどによりパッケージ化した太陽電池モジュールであり、ソーラーパネルとも呼ばれる。なお、太陽光パネルＰＮに用いられるセルは、どのようなセルであってもよい。例えば、太陽光パネルＰＮに用いられるセルは、シリコン系のセルや化合物系のセルや有機系のセルなど、目的に応じて種々のセルが適宜選択されてもよい。なお、蓄電システム１は、太陽光パネルＰＮを有さなくてもよい。
【００２７】
パワーコンディショナＰＣは、パワコン、ＰＣＳ（Power  Conditioning  System）とも称される装置であって、太陽光パネルＰＮから接続箱（図示せず）を経由して送信される電力を、住宅ＨＭ内の電気機器ＬＤなどで利用可能にする装置である。例えば、パワーコンディショナＰＣは、太陽光パネルＰＮから接続箱を経由して送信される直流電力を交流電力に変換する。また、例えば、パワーコンディショナＰＣは、直流電力をそのまま蓄電池ＢＴへの充電に利用してもよいし、交流電力に変換した後、電力を住宅ＨＭ内での利用や、電力系統ＣＰへの売電などに対応する出力に調整する。なお、蓄電システム１は、蓄電システム用のパワーコンディショナ（例えば、パワーコンディショナＰＣ１０）を有しているが、パワーコンディショナ―ＰＣ１０を配置せず、太陽光パネルＰＮのパワーコンディショナＰＣと共用するようにしてもよい。また、例えば、パワーコンディショナＰＣは、ホームゲートウェイＧＷと通信可能である。例えば、パワーコンディショナＰＣは、ホームゲートウェイＧＷを介して制御装置１００と通信可能である。
【００２８】
［内部時計の時間変更］
ここから、図１を用いてスケジュール動作時における蓄電システム１の動作について説明する。図１は、実施形態に係るスケジュール動作時の蓄電システムにおける内部時計の変更の一例を示す図である。なお、ここでいうスケジュール動作時とは、制御装置１００が取得したスケジュールに基づいて、蓄電池ＢＴに関する運転制御を行っている状態に対応する。
【００２９】
図１に示すように、蓄電システム１のコントローラＣＴにおいて、ユーザにより内部時計の時間を変更する操作がされる（ステップＳ１１）。例えば、ユーザは、コントローラＣＴの操作部ＯＰを操作することにより内部時計の時間の変更を行う。操作部ＯＰにより内部時計の時間を変更するユーザ操作を受け付けたコントローラＣＴは、時間変更情報を制御装置１００へ送信する（ステップＳ１２）。
【００３０】
コントローラＣＴから時間変更情報を受け付けた制御装置１００は、動作状態に応じてユーザ操作によるによる内部時計の時間の変更を受け付けるかを決定する。具体的には、制御装置１００は、スケジュールに基づく蓄電池ＢＴに関する運転制御中、すなわちスケジュール動作時の場合、内部時計の時間をユーザによって設定できないように制御する。そのため、制御装置１００は、ユーザ操作による時間変更情報に基づいて、内部時計を変更しない（ステップＳ１３）。これにより、制御装置１００は、ユーザ操作による内部時計の時間の変更により、最適な制御を行うことが困難になることを抑制し、適切なスケジュール動作を可能にする。
【００３１】
一方、制御装置１００は、スケジュールに基づく蓄電池ＢＴに関する運転制御中、すなわちスケジュール動作時の場合、ネットワークシステムによって内部時計の時間を設定可能に制御する。例えば、制御装置１００は、ホームゲートウェイＧＷを経由して時間変更情報を受け付けた場合、スケジュール動作時であっても内部時計の時間の変更する制御を行う。
【００３２】
図１では、例えば、サーバＳＶは、ホームゲートウェイＧＷを経由して時間変更情報を制御装置１００へ送信する（ステップＳ１４）。この場合、制御装置１００は、ネットワークシステムによる内部時計の時間の設定であるため、時間変更情報に基づいて、内部時計を変更する（ステップＳ１５）。
【００３３】
次に、図２を用いて通常時における蓄電システム１の動作について説明する。図２は、実施形態に係る通常時の蓄電システムにおける内部時計の変更の一例を示す図である。なお、ここでいう通常時とは、制御装置１００が取得したスケジュールに基づいて、蓄電池ＢＴに関する運転制御を行っていない状態に対応する。
【００３４】
図２に示すように、蓄電システム１のコントローラＣＴにおいて、ユーザにより内部時計の時間を変更する操作がされる（ステップＳ２１）。例えば、ユーザは、コントローラＣＴの操作部ＯＰを操作することにより内部時計の時間の変更を行う。操作部ＯＰにより内部時計の時間を変更するユーザ操作を受け付けたコントローラＣＴは、時間変更情報を制御装置１００へ送信する（ステップＳ２２）。
【００３５】
コントローラＣＴから時間変更情報を受け付けた制御装置１００は、動作状態に応じてユーザによる内部時計の時間の変更を受け付けるかを決定する。具体的には、制御装置１００は、スケジュールに基づく蓄電池ＢＴに関する運転制御中でない、すなわち通常時の場合、内部時計の時間をユーザによって設定可能に制御する。そのため、制御装置１００は、ユーザ操作による時間変更情報に基づいて、内部時計を変更する（ステップＳ２３）。これにより、制御装置１００は、通常時においては、ユーザ操作による内部時計の時間の変更を可能とすることにより、ユーザによりシステム管理を容易化する。
【００３６】
上述したように、蓄電システム１は、スケジュール動作時は、ユーザ操作によるコントローラＣＴからの内部時計の時間の変更を行わず、ネットワークシステムによる内部時計の時間の変更のみを行う。これにより、蓄電システム１は、最適な制御を行うことが困難になることを抑制し、適切なスケジュール動作を可能にする。また、蓄電システム１は、通常時においては、ユーザ操作による内部時計の時間の変更を可能とすることにより、ユーザによるシステム管理を容易化する。
【００３７】
［制御装置の構成例］
次に、図３を用いて、実施形態に係る制御装置１００の構成について説明する。図３は、実施形態に係る制御装置の構成を示すブロック図である。なお、図３には、実施形態に係る制御装置１００の構成のうち、蓄電池ＢＴの充放電の制御に必要な構成のみを図示し、他の制御装置１００の構成については図示を省略する。図３に示すように、制御装置１００は、通信部１１０と、記憶部１２０と、制御部１３０とを有する。
【００３８】
通信部１１０は、例えば、所定の通信回路等によって実現される。例えば、通信部１１０は、蓄電池ＢＴ等の蓄電システム１の他の構成と通信可能である。
【００３９】
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図３に示すように、内部時計情報記憶部１２１とスケジュール情報記憶部１２２を有する。
【００４０】
内部時計情報記憶部１２１は、内部時計に関する情報を記憶する。図４は、実施形態に係る内部時計情報記憶部に記憶される情報の一例を示す図である。具体的には、図４は、内部時計の時間に関する情報の一例を示す。図４に示すように、内部時計情報記憶部１２１は、内部時計に関する情報として、「内部時計」などといった項目を有する。なお、内部時計情報記憶部１２１が有する項目は上記に限らず、内部時計情報記憶部１２１は、目的に応じて種々の情報を記憶してもよい。「内部時計」は、蓄電システム１の内部時計が計時する時間を示す。なお、本実施形態においては、説明の簡単化のために、記憶部１２０に内部時計に関する情報を記憶する例を示したが、制御装置１００は、計時する時間を記憶し、外部と時間に関する情報を送受信可能な内部時計を備えてもよい。
【００４１】
スケジュール情報記憶部１２２は、スケジュール動作時に用いるスケジュールに関する情報を記憶する。図５は、実施形態に係るスケジュール情報記憶部に記憶される情報の一例を示す図である。具体的には、図５は、蓄電システム１における各スケジュールに関する情報の一例を示す。図５に示すように、スケジュール情報記憶部１２２は、スケジュールに関する情報として、「スケジュールＩＤ」、「スケジュール」といった項目を有する。また、「スケジュール」には、「日付」、「予定１」、「予定２」、「予定３」といった項目が含まれる。
【００４２】
「スケジュールＩＤ」は、スケジュールを識別するための情報を示す。「日付」は、対応するスケジュールに基づいてスケジュール動作を行う日付を示す。「予定１」〜「予定３」は、スケジュール動作の具体的な内容が記憶される。
【００４３】
例えば、図５の例において、スケジュールＩＤ「Ｓ１１」により識別されるスケジュールは、日付が「Ｘ月Ｙ日」であることを示す。また、スケジュールＩＤ「Ｓ１１」により識別されるスケジュールは、時間「０：００：００〜０：５９：５９」、すなわち０時台において蓄電池ＢＴを充電モードで動作させることを示す。また、スケジュールＩＤ「Ｓ１１」により識別されるスケジュールは、時間「１：００：００〜１：５９：５９」、すなわち１時台において蓄電池ＢＴを放電モードで動作させることを示す。また、スケジュールＩＤ「Ｓ１１」により識別されるスケジュールは、時間「２：００：００〜５：５９：５９」、すなわち２時〜５時台において蓄電池ＢＴを充電モードで動作させることを示す。なお、上記は一例であって、スケジュール情報記憶部１２２が有する項目は上記に限らず、スケジュール情報記憶部１２２は、目的に応じて種々の情報を記憶してもよい。
【００４４】
図３の説明に戻って、制御部１３０は、各種の処理手順などを規定したプログラム及び所要データを格納するための内部メモリを有し、これらによって種々の処理を実行するが、特に本発明に密接に関連するものとしては、受信部１３１、運転制御部１３２、設定制御部１３３、及び送信部１３４を有する。
【００４５】
受信部１３１は、外部装置から各種情報を受信する。例えば、受信部１３１は、ホームゲートウェイＧＷを介して蓄電システム１外のサーバＳＶ等の情報処理装置から各種情報を受信する。例えば、受信部１３１は、ホームゲートウェイＧＷを介してサーバＳＶからスケジュールを受信する。また、例えば、受信部１３１は、蓄電システム１の各構成から各種情報を受信する。具体的には、受信部１３１は、蓄電池ＢＴから残量等の各種情報を受信する。
【００４６】
また、受信部１３１は、時間変更情報を受信する。例えば、受信部１３１は、ユーザ操作による時間変更情報をコントローラＣＴから受信する。また、例えば、受信部１３１は、ネットワークシステムからホームゲートウェイＧＷを経由して時間変更情報をコントローラＣＴから受信する。
【００４７】
運転制御部１３２は、所定のネットワークシステムから取得したスケジュールに基づいて、蓄電池ＢＴに関する運転制御を行う。また、運転制御部１３２は、内部時計の時間とネットワークシステムにより設定される時間との差が所定の閾値以上である場合、スケジュールに基づく蓄電池ＢＴに関する運転制御を停止する。また、運転制御部１３２は、内部時計の設定後の内部時計の時間に基づいて、蓄電池ＢＴに関する運転制御を再開する。また、運転制御部１３２は、内部時計の時間とスケジュールにおける時間との差が所定の閾値以上である場合、スケジュールに基づく蓄電池ＢＴに関する運転制御を停止する。
【００４８】
設定制御部１３３は、スケジュールに基づく蓄電池ＢＴに関する運転制御中の場合、内部時計の時間をユーザによって設定できないように制御する。具体的には、設定制御部１３３は、スケジュールに基づく蓄電池ＢＴに関する運転制御中、すなわちスケジュール動作中の場合、内部時計の時間をユーザによって設定できないように制御する。
【００４９】
また、設定制御部１３３は、スケジュールに基づく蓄電池ＢＴに関する運転制御中の場合、ネットワークシステムによって内部時計の時間を設定可能に制御する。具体的には、設定制御部１３３は、スケジュールに基づく蓄電池ＢＴに関する運転制御中、すなわちスケジュール動作中の場合、ネットワークシステムによって内部時計の時間を設定可能に制御する。また、設定制御部１３３は、スケジュールに基づく蓄電池ＢＴに関する運転制御を停止した後、ネットワークシステムによる内部時計の時間の設定を行う。
【００５０】
送信部１３４は、外部装置に各種情報を送信する。例えば、送信部１３４は、蓄電システム１の各構成へ各種情報を送信する。具体的には、送信部１３４は、スケジュールに基づいて、蓄電池ＢＴへ充放電を制御する制御情報等の各種情報を送信する。例えば、送信部１３４は、設定制御部１３３により生成された制御情報を蓄電池ＢＴへ送信する。また、例えば、送信部１３４は、ホームゲートウェイＧＷを介して蓄電システム１外のサーバＳＶ等の情報処理装置へ各種情報を送信する。
【００５１】
［内部時計変更のフロー］
次に、蓄電システム１における内部時計の時間変更の流れについて図６及び図７を用いて説明する。図６は、実施形態に係るユーザによる蓄電システムの内部時計の変更の一例を示すフローチャートである。図７は、実施形態に係るネットワークシステムによる蓄電システムの内部時計の変更の一例を示すフローチャートである。まず、図６を用いて、ユーザによる蓄電システムの内部時計の変更の処理の流れについて説明する。
【００５２】
まず、蓄電システム１の制御装置１００は、ユーザによる時間設定を受け付けたかどうかを判定する（ステップＳ１０１）。ユーザによる時間設定を受け付けていない場合（ステップＳ１０１：Ｎｏ）、制御装置１００は、ステップＳ１０１に戻って処理を繰り返す。
【００５３】
一方、制御装置１００は、ユーザによる時間設定を受け付けた場合（ステップＳ１０１：Ｙｅｓ）、スケジュール動作中かを判定する（ステップＳ１０２）。スケジュール動作中である場合（ステップＳ１０２：Ｙｅｓ）、制御装置１００は、システム内の内部時計を変更しない（ステップＳ１０５）。その後、制御装置１００は、ステップＳ１０１に戻って処理を繰り返す。
【００５４】
一方、制御装置１００は、スケジュール動作中でない場合（ステップＳ１０２：Ｎｏ）、受け付けた設定時間と内部時計との差が所定の閾値以上かどうかを判定する（ステップＳ１０３）。受け付けた設定時間と内部時計との差が所定の閾値以上である場合（ステップＳ１０３：Ｙｅｓ）、制御装置１００は、システム内の内部時計を変更しない（ステップＳ１０５）。その後、制御装置１００は、ステップＳ１０１に戻って処理を繰り返す。
【００５５】
一方、制御装置１００は、受け付けた設定時間と内部時計との差が所定の閾値以上でない場合（ステップＳ１０３：Ｎｏ）、システム内の内部時計を変更する（ステップＳ１０４）。その後、制御装置１００は、ステップＳ１０１に戻って処理を繰り返す。
【００５６】
次に、図７を用いて、ネットワークシステムによる蓄電システムの内部時計の変更の処理の流れについて説明する。
【００５７】
まず、蓄電システム１の制御装置１００は、ネットワークから時間設定を受け付けたかどうかを判定する（ステップＳ２０１）。ユーザによる時間設定を受け付けていない場合（ステップＳ２０１：Ｎｏ）、制御装置１００は、ステップＳ２０１に戻って処理を繰り返す。
【００５８】
一方、制御装置１００は、ネットワークから時間設定を受け付けた場合（ステップＳ２０１：Ｙｅｓ）、受け付けた設定時間と内部時計との差が所定の閾値以上かどうかを判定する（ステップＳ２０２）。受け付けた設定時間と内部時計との差が所定の閾値以上である場合（ステップＳ２０２：Ｙｅｓ）、制御装置１００は、ステップＳ２０１に戻って処理を繰り返す。
【００５９】
一方、制御装置１００は、受け付けた設定時間と内部時計との差が所定の閾値以上でない場合（ステップＳ２０２：Ｎｏ）、システム内の内部時計を変更する（ステップＳ２０３）。その後、制御装置１００は、ステップＳ２０１に戻って処理を繰り返す。
【００６０】
［スケジュール動作の停止］
また、例えば、蓄電システム１は、システム内の内部時計の時間が大幅に変更された場合、最適な制御を行うことが困難になる、適切なスケジュール動作が難しい場合がある。そのため、蓄電システム１は、受け付けた設定時間と内部時計との差が所定の閾値以上である場合、スケジュール動作を停止してもよい。この点について、図８及び図９を用いて説明する。図８は、実施形態に係る蓄電システムにおけるスケジュール動作の一例を示すフローチャートである。図９は、実施形態に係る蓄電システムにおけるスケジュール動作の一例を示すフローチャートである。まず、図８を用いて、スケジュール動作停止後における新たなスケジュールに基づくスケジュール動作の再開の流れについて説明する。
【００６１】
まず、制御装置１００は、受け付けた設定時間と内部時計との差が所定の閾値以上かどうかを判定する（ステップＳ３０１）。受け付けた設定時間と内部時計との差が所定の閾値以上でない場合（ステップＳ３０１：Ｎｏ）、制御装置１００は、ステップＳ３０１に戻って処理を繰り返す。
【００６２】
一方、制御装置１００は、受け付けた設定時間と内部時計との差が所定の閾値以上である場合（ステップＳ３０１：Ｙｅｓ）、スケジュール動作を停止する（ステップＳ３０２）。その後、制御装置１００は、新たなスケジュールを受け付けたかどうかを判定する（ステップＳ３０３）。新たなスケジュールを受け付けていない場合（ステップＳ３０３：Ｎｏ）、制御装置１００は、ステップＳ３０３の処理を繰り返す。
【００６３】
一方、制御装置１００は、新たなスケジュールを受け付けた場合（ステップＳ３０３：Ｙｅｓ）、新たな設定時間を受け付けたかどうかを判定する（ステップＳ３０４）。新たなスケジュールを受け付けていない場合（ステップＳ３０４：Ｎｏ）、制御装置１００は、ステップＳ３０４の処理を繰り返す。
【００６４】
一方、制御装置１００は、新たな設定時間を受け付けた場合（ステップＳ３０４：Ｙｅｓ）、システム内の内部時計を変更し、新たなスケジュールで動作する（ステップＳ３０５）。例えば、制御装置１００は、新たなスケジュールとともに新たな設定時間を受け付けてもよい。その後、制御装置１００は、ステップＳ３０１の処理を繰り返す。したがって、蓄電システム１は、システム内の内部時計の時間が大幅に変更されることを抑制することができる。これにより、蓄電システム１は、内部時計の時間が大幅に変更されることにより、最適な制御を行うことが困難になることを抑制し、適切なスケジュール動作を可能にする。
【００６５】
なお、上記例においては、ステップＳ３０１において制御装置１００が設定時間を受け付ける場合を示したが、制御装置１００は設定時間を受け付けなくてもよい。この場合、例えば、制御装置１００は、ステップＳ３０１において所定の手段によりスケジュール動作中のスケジュールにおける時間（現在時間）の確認を行ってもよい。例えば、制御装置１００は、ネットワークから現在時間を取得することにより、スケジュール動作中のスケジュールにおける時間の確認を行ってもよい。確認したスケジュールにおける時間と内部時計との差が所定の閾値以上である場合、制御装置１００は、ステップＳ３０２以降の処理を行ってもよい。
【００６６】
また、蓄電システム１は、スケジュール動作停止後、所定時間が経過した場合、スケジュール動作を再開してもよい、この点について、図９を用いて説明する。
【００６７】
まず、制御装置１００は、受け付けた設定時間と内部時計との差が所定の閾値以上かどうかを判定する（ステップＳ４０１）。受け付けた設定時間と内部時計との差が所定の閾値以上でない場合（ステップＳ４０１：Ｎｏ）、制御装置１００は、ステップＳ４０１に戻って処理を繰り返す。
【００６８】
一方、制御装置１００は、受け付けた設定時間と内部時計との差が所定の閾値以上である場合（ステップＳ４０１：Ｙｅｓ）、スケジュール動作を停止する（ステップＳ４０２）。その後、制御装置１００は、スケジュール動作を停止してから所定の時間が経過したかどうかを判定する（ステップＳ４０３）。スケジュール動作を停止してから所定の時間が経過していない場合（ステップＳ４０３：Ｎｏ）、制御装置１００は、ステップＳ４０３の処理を繰り返す。
【００６９】
一方、制御装置１００は、スケジュール動作を停止してから所定の時間が経過した場合（ステップＳ４０３：Ｙｅｓ）、スケジュール動作を再開する（ステップＳ４０４）。例えば、制御装置１００は、スケジュール動作を停止してから、スケジュール中の次の予定の開始時間になった後、スケジュール動作を再開してもよい。例えば、制御装置１００は、スケジュール動作を停止してから１時間経過した後、スケジュール動作を再開してもよい。その後、制御装置１００は、ステップＳ４０１の処理を繰り返す。したがって、蓄電システム１は、システム内の内部時計の時間が大幅に変更されることを抑制することができる。これにより、蓄電システム１は、内部時計の時間が大幅に変更されることにより、最適な制御を行うことが困難になることを抑制し、適切なスケジュール動作を可能にする。
【００７０】
なお、上記例においては、ステップＳ４０１において制御装置１００が設定時間を受け付ける場合を示したが、制御装置１００は設定時間を受け付けなくてもよい。この場合、例えば、制御装置１００は、ステップＳ４０１において所定の手段によりスケジュール動作中のスケジュールにおける時間（現在時間）の確認を行ってもよい。例えば、制御装置１００は、ネットワークから現在時間を取得することにより、スケジュール動作中のスケジュールにおける時間の確認を行ってもよい。確認したスケジュールにおける時間と内部時計との差が所定の閾値以上である場合、制御装置１００は、ステップＳ４０２以降の処理を行ってもよい。
【００７１】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態は、発明の範囲や要旨に含まれると同様に、特許請求の範囲に記載された発明とその均等の範囲に含まれるものである。また、この実施形態は、処理内容を矛盾させない範囲で適宜組み合わせることが可能である。
【符号の説明】
【００７２】
１        蓄電システム
１００    制御装置
１１０    通信部
１２０    記憶部
１２１    内部時計情報記憶部
１２２    スケジュール情報記憶部
１３０    制御部
１３１    受信部
１３２    運転制御部
１３３    設定制御部
１３４    送信部
ＢＴ      蓄電池
【図１】
2017108508.tif 000003
【図２】
2017108508.tif 000004
【図３】
2017108508.tif 000005
【図４】
2017108508.tif 000006
【図５】
2017108508.tif 000007
【図６】
2017108508.tif 000008
【図７】
2017108508.tif 000009
【図８】
2017108508.tif 000010
【図９】
2017108508.tif 000011